(57)【要約】      （修正有）【課題】構成の簡略化とコストの低減を図ると共に、操作時に発生する音を十分に低減させることが可能な導光板と導光板を用いたスイッチを提供する。【解決手段】光源１７からの光を取り入れる導光板１１を透明な吸音材にて構成し、かつ固定接点３，５を備えた基板１と、上記基板１上に設置された可動接点７と、上記可動接点７上に設置された上記導光板１１と、上記基板１と上記可動接点７と上記導光板１１を固定する粘着部９とを具備した構造のスイッチとした。【選択図】図１
2010198819.tif 000002
【特許請求の範囲】
【請求項１】
光源からの光を取り入れる導光板において、
透明な吸音材から構成したことを特徴とする導光板。
【請求項２】
請求項１記載の導光板において、
上記透明な吸音材はポリウレタンであることを特徴とする導光板。
【請求項３】
固定接点を備えた基板と、
上記基板上に設置された可動接点と、
上記可動接点上に設置された請求項１又は請求項２記載の導光板と、
上記可動接点と上記導光板との間に設置され上記基板と上記可動接点と上記導光板を固定する粘着部とを具備したことを特徴とするスイッチ。
【発明の詳細な説明】
【技術分野】
【０００１】
本発明は、例えば、携帯電話のキーパッド等に用いられる導光板とこの導光板を用いたスイッチに係り、特に、キー操作時に発生する音を低減することができ、且つ、製造コストを抑えることができるように工夫したものに関する。
【背景技術】
【０００２】
従来の導光板及び導光板を用いたスイッチとしては、図５に示すようなものが知られている。以下、この構成について説明する。
【０００３】
まず、基板１０１があり、この基板１０１には固定接点１０３、１０５が設けられている。
【０００４】
上記基板１０１の図５中上面側であって上記固定接点１０３、１０５に対応する位置にはドーム状の可動接点（ドームコンタクト）１０７が設けられている。上記可動接点１０７は、接着剤１０９によって、上記可動接点１０７の図５中上面側に位置するシート１１１に接着・固定されている。
【０００５】
上記シート１１１の図５中上面側には、導光板１１３が設けられている。上記導光板１１３の図５中下面側にはドット印刷による表示部１１５が設けられている。
尚、この種の導光板と導光板を用いたスイッチの構成を開示するものとして、例えば、特許文献１がある。
【先行技術文献】
【特許文献】
【０００６】
【特許文献１】特開２００８−１８１８６２号公報
【発明の概要】
【発明が解決しようとする課題】
【０００７】
上記従来の構成によると次のような問題があった。
まず、シート１１１の上に導光板１１３を設置する二層構造であったため、導光板用１１３とシート１１１用に２種類の高分子材料が必要となり、製造コストが高くなってしまうという問題があった。
又、上記シート１１１に用いる高分子材料は、ＰＥＴ（ポリエチレンテレフタレート）等の吸音・制振効果の低い材料であったため、操作時にスイッチから発生する音を十分に低減させることができないという問題があった。
【０００８】
本発明はこのような点に基づいてなされたものでその目的とするところは、構成の簡略化とコストの低減を図ると共に、操作時に発生する音を十分に低減させることが可能な導光板と導光板を用いたスイッチを提供することにある。
【課題を解決するための手段】
【０００９】
上記課題を解決するべく本願発明の請求項１による導光板は、光源からの光を取り入れる導光板において、透明な吸音材から構成したことを特徴とするものである。
又、請求項２による導光板は、請求項１記載の導光板において、上記透明な吸音材はポリウレタンであることを特徴とするものである。
又、請求項３によるスイッチは、固定接点を備えた基板と、上記基板上に設置された可動接点と、上記可動接点上に設置された請求項１又は請求項２記載の導光板と、上記可動接点と上記導光板との間に設置され上記基板と上記可動接点と上記導光板を固定する粘着部とを具備したことを特徴とするものである。
【発明の効果】
【００１０】
以上述べたように本願発明の請求項１による導光板は、透明な吸音材から構成したことを特徴とするものであるため、スイッチに用いれば操作時に発生する音を抑えることができる。
また、請求項２による導光板は、ポリウレタンからなるものであるため、音の吸収・制振性に優れている。
また、請求項３によるスイッチは、上記導光板を用いているため、操作時に発生する音を低減させることができる。又、従来はシートの上にさらに導光板を設けた二層構造であったが、本願発明によるスイッチは導光板がシートの役割も兼ねているため、部品点数が少なくて済み製造コストを低減させることができる。
【図面の簡単な説明】
【００１１】
【図１】本願発明の一実施の形態を占めす図で、スイッチの構成を示す縦断面図である。
【図２】本願発明の一実施の形態を説明するための図で、効果を示すための比較実験の結果を示すグラフであり、可動接点のみのスイッチを打鍵した際に生じる音の振幅の時間変化を示したものである。
【図３】本願発明の一実施の形態を説明するための図で、効果を示すための比較実験の結果を示すグラフであり、従来のスイッチを打鍵した際に生じる音の振幅の時間変化を示したものである。
【図４】本願発明の一実施の形態を示す図で、効果を示すための実験結果の結果を示すグラフであり、本実施の形態によるスイッチを打鍵した際に生じる音の振幅の時間変化を示したものである。
【図５】従来例を占めす図で、スイッチの構成を示す縦断面図である。
【発明を実施するための形態】
【００１２】
以下、図１乃至図４を参照して本発明の一実施の形態を説明する。この実施の形態は、本願発明による導光板及びスイッチを携帯電話のキー操作部に適用したものである。
【００１３】
まず、図１に示すように基板１がある。上記基板１には固定接点３、５が設けられている。上記固定接点３、５の図１中上面側には、ドーム状の可動接点（ドームコンタクト）７が設けられている。上記可動接点７は、粘着部９を介して導光板１１に固定されている。上記導光板１１は、吸音・制振性に優れた透明なポリウレタン材からなるものである。
因みに、従来は上記粘着部９と上記導光板１１との間にシートが設けられていた。
【００１４】
又、上記導光板１１の裏側（図１中下面側）にはドット印刷による表示部１３が設けられている。上記導光板１１の表側（図１中上面側）には、キーパッド１５が設けられている。上記導光板１１の側面（図１中左側）にはＬＥＤ（発光ダイオード）からなる光源１７が設けられている。
【００１５】
上記導光板１１は光源１７からの光を拡散させて、上記キーパッド１５の上からの上記表示部１３の視認性を向上させるとともに、上記可動接点７を保持する機能も有している。従来においては、光源からの光を拡散させる導光板と可動接点を保持する接点保持シートは別々の部材であったが、本実施の形態は両者を一体としたものである。
【００１６】
さらに、上記導光板１１は吸音・制振性に優れた透明なポリウレタン材からなるため、スイッチ操作の際、上記キーパッド１５及び上記導光板１１を介して上記可動接点７が押圧され変形する際や変形した上記可動接点７が元の形状に戻る際に発生する音が、上記導光板１１に吸音されることとなる。
【００１７】
上記吸音に関してさらに詳しく説明する。図２に示すグラフは、本実施の形態による効果を示すための比較実験の結果を示すグラフであり、可動接点７のみのスイッチを打鍵した際に生じる音の振幅の時間変化を示したものである。又、図３に示すグラフは、本実施の形態による効果を示すための比較実験の結果を示すグラフであり、従来のＰＥＴからなるシートを用いたスイッチを打鍵した際に生じる音の振幅の時間変化を示したものである。そして、図４に示すグラフは、本実施の形態による効果を示すための実験結果を示すグラフであり、本実施の形態によるスイッチを打鍵した際に生じる音の振幅の時間変化を示したものである。
【００１８】
又、図２乃至図４のグラフの縦軸は、音の振幅を示しており、可動接点７のみのスイッチを打鍵した場合（図２のグラフ）に生じる音の振幅の最大値を１としたものである。又、図２乃至図４のグラフの横軸は時間をミリ秒で示している。そして、これらのグラフは音の振幅の時間経過による変化を表わしたものである。
【００１９】
図２のグラフ、すなわち可動接点７のみからなるスイッチによると、測定開始後０．５ミリ秒付近で打鍵され直後に音の振幅の絶対値は１となっている。その後音の振幅は減衰していき、測定開始後０．８ミリ秒付近では音の振幅の絶対値は約０．７、測定開始後１．８ミリ秒付近では約０．３になっている。
【００２０】
又、図３のグラフ、すなわち従来のＰＥＴからなるシートを用いたスイッチによると、測定開始後０．５ミリ秒付近で打鍵され直後に音の振幅の絶対値は約０．８となっている。その後音の振幅は減衰していき、測定開始後０．８ミリ秒付近では音の振幅の絶対値は約０．４、測定開始後１．８ミリ秒付近では約０．１になっている。
【００２１】
一方、図４のグラフ、すなわち本実施の形態のスイッチによると、測定開始後０．５ミリ秒付近で打鍵され直後に音の振幅の絶対値は約０．６となっている。その後音の振幅は減衰していき、測定開始後０．８ミリ秒付近では音の振幅の絶対値は約０．２、測定開始後１．８ミリ秒付近では殆ど０になっている。
【００２２】
以上の実験結果より、本実施の形態によるスイッチの場合は、打鍵時の音の振幅が可動接点７のみのスイッチを用いた場合に比べ約半分と大きく抑えられているばかりか、その後に音の振幅が急激に減衰している。
又、本実施の形態によるスイッチの場合は、従来のＰＥＴからなるシートを用いたスイッチの場合と比べて、打鍵時の音の振幅が約３分の２と大きく抑えられているばかりか、その後の音の振幅の減衰も大きい。よって、本実施の形態によるスイッチは著しい吸音効果があるといえる。
【００２３】
以上本実施の形態によると、次のような効果を奏することができる。
まず、導光板１１は光源１７からの光を拡散させ表示部１３の視認性を向上させると共に、可動接点７を保持する機能も有するため、従来のように光源からの光を拡散させる導光板と可動接点を保持する接点保持シートの２つの部材を用いた二層構造とする必要がなく、それによって、構成の簡略化と製造コストの低減を図ることができる。
【００２４】
又、上記導光板１１は、吸音・制振性に優れた透明なポリウレタン材からなるため、スイッチから発生する音を効果的に吸音して低減させることができる。
【００２５】
尚、本願発明は前記一実施の形態に限定されるものではない。
例えば、導光板の材料はポリウレタンに限られず、透明であって吸音・制振性に優れた材料であればよい。
又、スイッチの構成としては、図示したものに限定されず、様々な構成が想定される。
【産業上の利用可能性】
【００２６】
本発明は、例えば、携帯電話のキーパッド等に用いられる導光板と導光板を用いたスイッチに係り、特に、キー操作時に発生する音を低減することができ、製造コストも抑えることができるように工夫したものに関し、例えば、携帯電話のキー操作部におけるスイッチに好適である。
【符号の説明】
【００２７】
１  基板
３  固定接点
５  固定接点
７  可動接点
９  粘着部
１１  導光板
１７  光源
【図１】
2010198819.tif 000003
【図２】
2010198819.tif 000004
【図３】
2010198819.tif 000005
【図４】
2010198819.tif 000006
【図５】
2010198819.tif 000007